(57)【特許請求の範囲】
【請求項１】
隣接する２つの人体載置機器の人体載置面にそれぞれ接触し且つ該隣接する２つの人体載置機器の前記人体載置面の対向する端部の間に形成された隙間を覆う板状部材と、前記人体載置機器の前記人体載置面及び前記板状部材の人体載置面で人体を載せて移動するスライディング器具とを備えており、
前記板状部材は少なくとも一方の前記人体載置機器に対する位置を調整する調整具と、該板状部材に対して前記スライディング器具を着脱自在とする係着器具とを備えたことを特徴とする移乗用器具。
【請求項２】
前記スライディング器具は、
前記隣接する２つの人体載置機器及び前記板状部材の前記人体載置面に展開される下層部と、一方の前記人体載置機器側で前記下層部の上に折り返される上層部と、を備えた表面滑性シートと、
前記表面滑性シートの両側側辺に沿ってそれぞれ設置された棒状器具と、
前記表面滑性シートの２つの前記棒状器具の間の位置に設置された中間棒状器具と、を備えた請求項１に記載の移乗用器具。
【請求項３】
前記板状部材は前記２つの人体載置機器の相対位置を固定する位置固定具を備えた請求項１又は２に記載の移乗用器具。
【発明の詳細な説明】
【技術分野】
【０００１】
本発明は隣接する人体載置機器の載置面上で使用する移乗用器具に関するものであり、詳しくは一方から他方の人体載置機器に人体を載せて移動することのできる移乗用器具に関するものである。
【背景技術】
【０００２】
ベッドやストレッチャー等の隣接する人体載置機器間で人体を持ち上げずに横移動させるスライディングシート、マット及びボードなどの単体移乗器具が提案されている（例えば特許文献１及び非特許文献１参照）。病院用の単純な形のベッドやストレッチャーの構造体が密着しても、ベッド上の厚手のマットレスとストレッチャー上の薄い敷きマットの間には数ｃｍの隙間ができてしまうため、隣接する人体載置機器の間には必ず隙間ができる。特に厚手のマットレスは圧力がかかると形が崩れて隙間が広がる。人体載置機器の構造によっては５〜１０ｃｍ程度の隙間ができる。従来の単体移乗器具では、この隙間に突っ込んだり衝突したり落ち込んだりする不具合が生じる。
【先行技術文献】
【特許文献】
【０００３】
【特許文献１】特許４８９７１０１号公報
【非特許文献１】”Slide Board - Trolley （Hand Slots）”、[online]、PELICAN MANUFACTUREING PTY LTD、[平成２５年７月１２日検索]、インターネット〈URL: http://www.pelicanmanufacturing.com.au/slide_board-trolley_(hand_slots)--886.html〉
【発明の概要】
【発明が解決しようとする課題】
【０００４】
本発明は上記の問題を鑑みてなされたものであり、その目的は患者等の人体を載せて人体載置機器間を移動させる際に、隙間への落下等を防止して安全性を向上し、小型で製造コストが安く、迅速な移乗作業を実現できる移乗用器具を提供することである。
【課題を解決するための手段】
【０００５】
上記の目的を達成するための本発明に係る移乗用器具は、隣接する２つの人体載置機器の人体載置面にそれぞれ接触し且つ該隣接する２つの人体載置機器の前記人体載置面の対向する端部の間に形成された隙間を覆う板状部材と、前記人体載置機器の前記人体載置面及び前記板状部材の人体載置面で人体を載せて移動するスライディング器具とを備えており、前記板状部材は少なくとも一方の前記人体載置機器に対する位置を調整する調整具と、該板状部材に対して前記スライディング器具を着脱自在とする係着器具とを備えたことを特徴とする。
【発明の効果】
【０００６】
この構成によれば、板状部材により隙間を覆うことで、人体を載せてこの隙間の上を横移動するスライディング器具が、隙間に突っ込んだり、衝突したり、落ち込んだりする不具合を防げる。また、調整具を設置する構成により、板状部材の横移動を防げるので横幅の小さい板状部材を採用することが可能となり、板状部材の持ち運びが容易となり製造コストを低減できる。更に、スライディング器具を係着する係着器具を板状部材に設置したので、人体載置機器上におけるスライディング器具の位置決めが容易となり、移乗作業にすぐ取り掛かれて移乗作業の効率を向上できる。移乗用器具の収納時には、板状部材にスライディング器具を係着できるのでとりまとめが容易となる。
【０００７】
スライディング器具は、例えば隣接する２つの人体載置機器及び板状部材の人体載置面に展開される下層部と、一方の人体載置機器側で下層部の上に折り返される上層部と、を備えた表面滑性シートと、表面滑性シートの両側側辺に沿ってそれぞれ設置された棒状器具と、表面滑性シートの２つの棒状器具の間の位置に設置された中間棒状器具と、を備えた構成とすることもできる。
【０００８】
この構成によれば、上層部は人体を載せて横移動するが、板状部材上の下層部及び板状部材は不動となるので、スライディング器具は隙間に落ちることなく安全性を保つことができる。棒状器具及び中間棒状器具の設置により、介護者の手が届かない場所も含めてシート状物の取り扱いを容易にし、棒状器具等にシート状物を巻きつけて容易に収納することもできる。
【０００９】
板状部材は２つの人体載置機器の相対位置を固定する位置固定具を備えた構成とすることもできる。この構成によれば、移乗作業の際に人体がぶつかり大きな力が加わったり、人体載置機器のストッパーが誤って外れたりすると２つの人体載置機器の隙間が広がり人体がこの隙間から落下する危険があるが、位置固定具はこの隙間の拡大を防ぎ安全性を向上することができる。
【図面の簡単な説明】
【００１０】
【図１】図１は、ベッド及びストレッチャー上に配置した本発明の移乗用器具を例示する平面図である。
【図２】図２は、図１の正面断面図である。
【図３】図３は、図１の移乗用器具をストレッチャーに設置して収納した状態を示す斜視図である。
【図４】図４は、移乗用器具の使用状態を示す正面断面図である。
【図５】図５は、移乗用器具の使用状態を示す正面断面図である。
【図６】図６は、板状部材の変形例を示す正面断面図である。
【図７】図７は、移乗用器具の別の実施形態を例示する正面断面図である。
【発明を実施するための形態】
【００１１】
以下、本発明の移乗用器具を図に示した実施形態に基づいて説明する。
【００１２】
図１〜３に例示するように本発明の移乗用器具１は、板状部材２とスライディング器具３を備えている。この実施形態では、板状部材２は例えば平面視において長方形となる平板であり、人体移載機器は例えばストレッチャー４とベッド５である。この板状部材２は、ストレッチャー４とベッド５のそれぞれの人体載置面である上面に接触する幅を有し、ストレッチャー４とベッド５の間の隙間の長手方向における少なくとも一部を覆う長さを有する。
【００１３】
板状部材２は、ストレッチャー４に対する位置を調整する調整具６を有している。調整具６は、板状部材２とストレッチャー４の一方の縦辺４ａ（図１右側）を連結する第１調整具６ａと、他方の縦辺４ｂ（図１左側）を連結する第２調整具６ｂを備えている。例えばベルト状に形成された第１調整具６ａは、板状部材２の最左端の位置を決める機能を有しており、板状部材２が図１及び２に示す位置よりも左方に移動しないように拘束する。例えばストレッチャー４のフレームに連結するフックをワイヤーの端部に備えた第２調整具６ｂは、板状部材２の最右端の位置を決める機能を有しており、板状部材２が図１及び２に示す位置よりも右方に移動しないように拘束する。つまり、第１調整具６ａ及び第２調整具６ｂを備えた調整具６により、ストレッチャー４に対する板状部材２の相対的な位置を決定することができる。
【００１４】
スライディング器具３は、例えば少なくも片面に滑性を有する１枚のシート状物である表面滑性シート（以下「シート」という）３’を備え、シート３’は、使用時にストレッチャー４とベッド５と板状部材２の上面に展開される下層部３’ａと、例えばベッド５側で使用時には下層部３’ａの上面に折り返される上層部３’ｂを備えている。このスライディング器具３は、例えば面テープや磁石等の係着器具９を介して板状部材２に着脱自在に設置される。シート状のスライディング器具３は、ストレッチャー４とベッド５の間の隙間の長手方向と平行となるシート３’の両側側辺に沿ってそれぞれ設置された棒状器具７と、２つの棒状器具７の間にこの棒状器具７と平行に設置された中間棒状器具８を備えている。この棒状器具７と中間棒状器具８（以下、総称する場合は棒状器具７等という）の設置により、面積が大きく素材が柔らかいシート状のスライディング器具３の取り扱いを容易にできる。具体的には棒状器具７等により、板状部材２に対するシート３’の位置決めや折り曲げや収納を容易に行うことができる。例えば棒状器具７等を設置していない場合は、シート３’を展開する際に介護者等の手の届かない場所が生じ、介護者等は移動しながら展開作業を行わなくてはならない。しかし棒状器具７等の設置によりストレッチャー４やベッド５の片側から移動せずに、介護者等は棒状器具７等端部を握ってシート３’を展開したり折り曲げたり位置の調整をしたりできる。特にベッド５の縦辺の片側が部屋の壁に密着しており、介護者等の移動が制限される場合であってもシート３’の操作を容易に行える。
【００１５】
板状部材２は、ストレッチャー４とベッド５の相対位置を固定する位置固定具１０を備えることが望ましい。位置固定具１０は、ストレッチャー４とベッド５の相対位置を固定して隙間が拡大することを防止するための例えばベルト状器具であり、板状部材２に形成された孔１１を介して設置される。この孔１１は、展開されたシート３’と接触しないように板状部材２の長手方向における両端部近傍に形成されることが望ましい。この構成によれば、移乗用器具１の使用時であっても、位置固定具１０はシート３’に隠れることなく目視で確認可能となり安全確認が容易となるからである。
【００１６】
図３に例示する収納時の移乗用器具１は、例えばストレッチャー４の縦辺４ａに第１調整具６ａを連結したままの状態として、ストレッチャー４の側方に板状部材２を吊るすことができる。つまりこの実施形態の場合の第１調整具６ａは、板状部材２の位置を調整する機能と収納する機能の両方を兼ね備えることになる。板状部材２をストレッチャー４に設置する方法は上記に限られない。シート状のスライディング器具３は、棒状器具７等を一方にまとめて他方に伸びたシート３’を４回折り曲げることにより直径４〜５ｃｍ程度に丸くまとめられる。棒状器具７等に巻回されたシート３’をロープ１２等で巻き締めて、板状部材２から吊り下げたり、例えば係着器具９等を利用して板状部材２の上面に固定したりしてシート３’を収納することができる。患者等の移乗に必要となる板状部材２とスライディング器具３と調整具６がストレッチャー４に直接又は間接的に設置されるので、患者等の移乗に必要となる種々の器材の収納と移乗作業開始時の取り纏めが容易となる。
【００１７】
次に移乗用器具の使用方法について図４及び５を参照しながら説明する。図４に例示するように、ベッド５からストレッチャー４に患者等（以下、人体１３という）の移乗を行う際には、まずストレッチャー４とベッド５の間の隙間を塞ぐ位置に板状部材２を介護者等が配置する。この板状部材２は、幅方向（図４左右方向）における両端部が下方に傾斜する断面形状を有している。図示しない第１調整具６ａ及び第２調整具６ｂはストレッチャー４の縦辺４ａ、４ｂにそれぞれ固定されるので、ストレッチャー４とベッド５の隙間の幅方向（図４の左右方向）の中心と板状部材２の幅方向の中心がほぼ一致する。この構成によれば、隙間に対する板状部材２の位置を正確に決定し、板状部材２の両側の縦辺を確実にストレッチャー４とベッド５の上面に配置できる。また望ましくは、板状部材２に設置された位置固定具１０をストレッチャー４とベッド５のフレーム等に連結する。板状部材２にそれぞれ固定された２つの位置固定具１０にストレッチャー４とベッド５はそれぞれ連結されるため、この両者の隙間が不用意に拡大する事故を防止できる。
【００１８】
ストレッチャー４等の上面に固定された板状部材２の上面で、係着器具９を介してシート３’は係着される。板状部材２上で位置決めされたシート３’は、介護者等の棒状器具７等の操作によりストレッチャー４等の上面で展開される。シート３’の下層部３’ａはストレッチャー４と板状部材２とベッド５の上面で展開され、上層部３’ｂは中間棒状器具８を起点として下層部３’ａの上面側に折り返されて二つ折りの状態となる。つまり折り返されて下側を向いた上層部３’ｂの上面は下層部３’ａの上面と接触することとなり、シート３’の上面の潤滑面どうしが接触することとなる。ストレッチャー４とは反対側となる図４の右側を向くように起こされた人体１３の背面に、介護者等は中間棒状器具８を接近させて人体１３を元の位置に戻しながら上層部３’ｂ上に載せる。
【００１９】
介護者等が上層部３’ｂの端部に設置された棒状器具７をストレッチャー４側に引くと、上層部３’ｂが下層部３’ａ上を滑りながら人体１３と共にストレッチャー４側に移動する。この棒状器具７を引く際には、介護者等はまず人体１３の頭側の棒状器具７を引き、次いで人体１３の足側の棒状器具７を引き、これを繰り返して人体１３を移動させてもよい。板状部材２によりストレッチャー４とベッド５の隙間が覆われるため、人体１３を載せてこの隙間上を横移動するスライディング器具が隙間に突っ込んだり衝突したり落ち込んだりする不具合を防止できる。特にスライディング器具３をシート状物とした場合は、上層部３’ｂは人体１３を載せて横移動するが板状部材２上の下層部３’ａと板状部材２は不動となるので、シート３’は隙間に落ちることがなく移乗用器具１の安全性を更に向上できる。また上記構成により板状部材２の幅方向（図４左右方向）に力が生じないことと、板状部材２の幅方向の両端部がストレッチャー４等のマットに沈み込むことと、板状部材２が調整具６によりストレッチャー４に固定されていることから、人体１３の移乗に伴う板状部材２のずれや移動が発生する可能性はほとんどないため、板状部材２が隙間に落下することはない。
【００２０】
ストレッチャー４の上面の高さをベッド５の上面の高さよりも低くすれば、ストレッチャー４に向かって板状部材２は下り斜面となるので人体１３を載せたシート３’を引く力を小さくできる。人体１３を移動させる際に介護者等は、上層部３’ｂに設置された棒状器具７を引く代わりに人体１３を直接ストレッチャー４側に押して移動させることもできる。
【００２１】
図５に示した位置固定具１０の変形例では、ストレッチャー４とベッド５を直接連結して固定するベルト状器材１０であり、板状部材２から例えばロープ１４等で懸吊する構成としてもよい。
【００２２】
次に、シート状のスライディング器具３を採用した移乗用器具１の潤滑性に関して行った実験について説明する。寝台用敷きマットを床の上に置き、その上に２０１２年９月入手の一辺４ｍｍの井桁の織り目が見える表面滑性を有するシートを二つ折りにして敷き、その上に体重６３ｋｇの半座位の人体を乗せた。このシートの端部にバネばかりを設置してシートを引いたところ、約７〜９ｋｇの表示をバネばかりが示したときに人体を乗せたシートが動き出した。例えば６３ｋｇの人体を３人で持ち上げると、一人あたりの負担は２１ｋｇとなる。以上よりシートを横に引く力は、３人で分担して人体を持ち上げる力の約３分の１程度であることがわかった。
【００２３】
次いで２０１３年４月に入手した改良された織り目模様の見えないシートを使用して、上記と同様の実験を行った。このとき約６〜８ｋｇの表示をバネばかりが示したときに人体を乗せたシートが動き出した。このシートを引く際に必要な力は、非力な女性であっても無理のない大きさの範囲である。つまり本発明の移乗用器具１を使用した人体１３の移乗作業は一人で処理可能となる。３〜４名の介護者等が必要であった従来の移乗作業に比べて、移乗用器具１を利用した移乗作業は省力化を実現できる。
【００２４】
次に人体１３の移乗完了後に診察室又は検査室、治療室、浴室等へストレッチャー４を移動させる準備について説明する。まず図４又は５に示す位置固定具１０をストレッチャー４とベッド５から取り外し、ストレッチャー４とベッド５の隙間を広げる。ストレッチャー４から一部が突出している板状部材２は、第２調整具６ｂの取り外しにより移動が可能となり、第１調整具６ａによりストレッチャー４の側方に吊り下げられた状態となる。このとき位置固定具１０は、板状部材２に設置された状態又は吊り下げられた状態となる。この方法の他にも移乗作業中にストレッチャー４の側面（ベッド５側）に下げられていた安全用横柵（図示しない）を引き上げて、この安全用横柵と人体１３の間に板状部材２とスライディング器具３を収納する方法がある。この方法によりストレッチャー４の側面から板状部材２が側方に突き出すことがなく、シート３’が床に垂れ下がることもなくストレッチャー４は目的地へ移動することができる。
【００２５】
なお診察室等から戻ってきたストレッチャー４上の人体１３は、前述の方法と同様にストレッチャー４からベッド５に移動させられる。このときスライディング器具３は前述の場合から１８０度回転させた状態で板状部材２に係着され、上層部３’ｂがストレッチャー４側となるように配置される。またベッド５の側面（図５右側）が壁等に密着している場合は、介護者等はベッド５の右側からシート３’を引くことができないので、ストレッチャー４の左方から人体１３をベッド５側に押して移動させる。
【００２６】
図６ａに例示する板状部材２は、図１〜３に例示した平板状の板状部材２であり長方形となる断面を有している。図６ｂに示す変形例は、中央部から幅方向における両側の縦辺２ａに向かってそれぞれ下方に傾斜するように形成された板状部材２である。この構成によれば板状部材２の強度を向上することができる。また板状部材２は、材料の切り出しと折り曲げにより製造できるため製造コストを抑制できる。図６ｃに示す変形例は、図６ｂに加えて縦辺２ａ近傍をさらに下方に傾斜するように折り曲げて形成された板状部材２である。この構成によれば板状部材２の縦辺２ａがストレッチャー４等のマットに陥入して縦辺２ａとマットの間の摩擦が更に大きくなるので、人体１３の衝突により板状部材２がずれる等の問題を更に防止できる。図６ｄに例示する板状部材２は、図４及び５に例示した板状部材２であり、縦辺２ａ近傍を下方に傾斜するように折り曲げて形成されている。この構成によれば図６ｃの変形例と同様の作用効果を得られる。図６ｅに示す変形例は、中央部から両側の縦辺２ａに向かって全体が下方に傾斜する曲面を有する板状部材２である。この構成によれば折り曲げ加工に比べて加工コストは上昇するものの板状部材２上における人体１３の移動をスムーズに行うことができる。図６ｆに示す変形例は、図６ｅに加えて縦辺２ａ近傍を下方に傾斜するように折り曲げて形成された板状部材２である。この構成によれば前述と同様の作用効果を得ることができる。
【００２７】
板状部材２は、アルミ又はステンレス又はアルマイトその他の金属板を加工して作成することができる。この構成によれば、製造コストを低コストに抑えつつ衛生面に優れた板状部材２を提供できる。また板状部材２は、炭素繊維強化プラスチックやガラス繊維強化プラスチック等を利用して作成してもよい。この構成によれば軽量でありながらも強度の高い板状部材２を提供することができる。
【００２８】
スライディング器具３は下面に滑面又は複数のローラ等を備え、板状部材２及びストレッチャー４等の上面を摺動可能に構成された板状のスライディング器具３であってもよい。この板状のスライディング器具３は、シート状の場合に比べて厚みが厚いため、乗り上げる際の患者１３等に若干の肉体的負担を強いる可能性はあるが、前述の他の作用効果は同様に得ることができる。
【００２９】
図７に例示する実施形態の移乗用器具１は、一方の人体載置機器であるベッド５から他方の人体載置機器である車いす１４に移乗する際に使用される。この実施形態では、板状部材２の大きさは、縦辺が車いす１４の座面と同等又は小さくなるように形成されている。シート状のスライディング器具３は、板状部材２の大きさに合わせて適宜決定することができる。図７に示す移乗用器具１は、図示していないが調整具６を有しており、第１調整具６ａは車いす１４の前方側（図７右側）に固定され、第２調整具６ｂは車いす１４の後方側（図７左側）に固定される。その他の構成は前述の実施形態の移乗用器具１と同様である。
【００３０】
次に移乗用器具１の使用方法について説明する。ベッド５から車いす１４への移乗準備として、まずベッド５と車いす１４の隙間を塞ぐ位置に板状部材２を介護者等が配置する。ベッド５と板状部材２と車いす１４の上面に配置されるシート３’は、ベッド５側に上層部３’ｂが位置する方向に配置され、係着器具９を介して板状部材２に係着される。上層部３’ｂ上に患者１３等は移動して座り、ベッド５の上面を押しながら車いす１４側に移動する。
【００３１】
車いす１４側へ移動を完了した患者１３等は、まず位置固定具１０によるベッド５と車いす１４の固定を解除して、体を左右（図７手前奥方向）に傾けながらシート３’を取り除く。その後に患者１３等は、ベッド５との隙間が開く方向に車いす１４を移動させて、板状部材２をベッド５側に引き抜いて移乗作業を完了する。前述の実施形態と同様に上記の移乗作用は介護者等が行ってもよい。
【００３２】
次に車いす１４からベッド５へ移動する方法を説明する。まず患者１３等が立ち上がることが可能であれば、患者１３等が立ち上がっている間に板状部材２及びシート３’を配置する。患者１３等が立ち上がれない場合は、車いす１４と患者１３等の臀部との間に前方から板状部材２を差し込み、人体１３を左右に傾けながら板状部材２上にシート３’を差し込む。このときシート３’は車いす１４側に上層部３’ｂが位置する方向に配置され、係着器具９を介して板状部材２に係着される。車いす１４をベッド５に接近させると共に、位置固定具１０により車いす１４をベッド５に固定する。患者１３等は、脚部をベッド５上にあげた後に車いす１４を押してベッド５側へ移動する。このとき上層部３’ｂ側の棒状器具７を介護者等がベッド５側に引いて患者１３等を移動させてもよい。また車いす１４の座面にクッション等を配置して高くして、車いす１４からベッド５に向かう下り傾斜を板状部材２で形成すると人体１３の移乗を更に容易に行うことができる。
【産業上の利用可能性】
【００３３】
本発明の移乗用器具１は、従来は重労働であった移乗作業を軽労働化し、人体載置機器の間の隙間により生じていた諸問題を解決して安全性を向上することができ、簡素な構造により製造コストを抑制することができので、病院や介護施設での普及が期待される。
【符号の説明】
【００３４】
１ 移乗用器具
２ 板状部材
２ａ 縦辺
３ スライディング器具
３’  表面滑性シート
３’ａ 下層部
３’ｂ 上層部
４ ストレッチャー
４ａ 縦辺
４ｂ 縦辺
５ ベッド
６ 調整具
６ａ 第１調整具
６ｂ 第２調整具
７ 棒状器具
８ 中間棒状器具
９ 係着器具
１０ 位置固定具
【要約】
患者等の人体を載せて人体載置装置間を移動させる際に、隙間への落下等を防止して安全性を向上し、小型で製造コストが安く、迅速な移乗作業を実現できる移乗用器具を提供する。隣接する２つの人体載置機器４、５の上面にそれぞれ接触し且つこの２つの人体載置機器４、５の間の隙間の少なくとも一部を覆う板状部材２と、前記人体載置機器４、５及び前記板状部材２の上面で人体を載せて移動するスライディング器具３とを備えており、前記板状部材２は少なくとも一方の前記人体載置機器４に対する位置を調整する調整具６と、この板状部材２に対して前記スライディング器具３を着脱自在とする係着器具９とを備えた。【図１】
0005552576.tif 000002
【図２】
0005552576.tif 000003
【図３】
0005552576.tif 000004
【図４】
0005552576.tif 000005
【図５】
0005552576.tif 000006
【図６】
0005552576.tif 000007
【図７】
0005552576.tif 000008